(57)【要約】【課題】ガタツキ無くすことができるとともに、過負荷を抑制して円滑な動作を確保することが可能なディスク駆動装置を提供する。【解決手段】ディスク駆動装置は、対向配置された側壁１１ａ、１１ｂと、それぞれ側壁に設けられ互いに対向した第１ガイド７０ａ、第２ガイド７０ｂと、を有するメインフレームと、記録媒体を保持する記録媒体保持体と、媒体駆動部と、媒体駆動部を支持しているとともに昇降可能にメインフレームに取り付けられた昇降保持部材２４と、を備えている。昇降保持部材は、それぞれ側壁と対向して延びた一対のアーム部２４ａ、２４ｂと、アーム部の一端部同士を連結し側壁と交差する方向に延びた連結部と、アームの他端部に設けられ側壁に支持された支点部と、第１、第２ガイドにそれぞれ係合可能にアーム部の一端部に設けられた第１係合部２７ａ、第２係合部２７ｂと、を有し、第１ガイドは板ばねにより形成され、昇降保持部材を第２ガイド側に付勢する。【選択図】    図１５
2009043351.tif 000002
【特許請求の範囲】
【請求項１】
対向配置された側壁と、それぞれ側壁に設けられ互いに対向した第１ガイドおよび第２ガイドと、を有するメインフレームと、
ディスク状の記録媒体を保持し、前記メインフレームの外部に突出する装填取出し位置と、前記メインフレーム内の所定位置で前記記録媒体を駆動可能な動作位置との間を移動可能に前記メインフレームに設けられた記録媒体保持体と、
前記記録媒体を支持および回転するモータと、記録媒体に対して情報処理を行うヘッド部とを有し、前記記録媒体の装填および取り出しを許容する退避位置と、前記記録媒体を駆動する駆動位置との間を昇降可能に設けられた媒体駆動部と、
前記媒体駆動部を支持しているとともに、前記駆動位置に対応する上昇位置と前記退避位置に対応する下降位置との間を昇降可能に前記メインフレームに取り付けられた昇降保持部材と、を備え、
前記昇降保持部材は、それぞれ前記側壁と対向して延びた一対のアーム部と、アーム部の一端部同士を連結し前記側壁と交差する方向に延びた連結部と、前記アームの他端部に設けられ前記側壁に支持された支点部と、前記第１および第２ガイドにそれぞれ係合可能に前記アーム部の一端部に設けられた第１係合部および第２係合部と、を有し、
前記第１ガイドは板ばねにより形成され、前記昇降保持部材を前記第２ガイド側に付勢するディスク駆動装置。
【請求項２】
前記メインフレームは樹脂により形成され、前記第１ガイドは、前記側壁と一体に樹脂により成形されている請求項１に記載のディスク駆動装置。
【請求項３】
前記記録媒体保持体が移動する間、前記昇降保持部材を退避位置に移動させ、前記記録媒体保持体が動作位置に移動した際、前記昇降保持部材および媒体駆動部を駆動位置に移動させる移動機構と、を備え、
前記移動機構は、前記昇降保持部材と係合しているとともに前記一対の側壁間にこれらの側壁と交差する方向に沿って移動可能に設けられ、移動することにより前記昇降保持部材を昇降させる摺動部材と、摺動部材を移動させる駆動源と、を有し、
前記第１ガイドは前記側壁に突設され前記昇降保持部材の昇降方向に沿って延びているとともに前記第１係合突起に係合可能な第１ガイドリブを有し、
前記第２ガイドは前記側壁に突設され前記昇降保持部材の昇降方向に沿って延びているとともに前記第２係合突起に係合可能な第２ガイドリブを有し、
前記摺動部材が前記昇降保持部材を上昇させる方向に移動する側に位置した第２ガイドの第２ガイドリブは、第１ガイドの第１ガイドリブよりも長く形成されている請求項１に記載のディスク駆動装置。
【請求項４】
前記第２ガイドリブは、前記昇降保持部材が前記上昇位置と下降位置との間を移動する際、前記第２係合突起が当接するように、前記第２係合突起の移動経路に亘って延びている請求項３に記載のディスク駆動装置。
【請求項５】
前記第１ガイドリブは、前記昇降保持部材が前記上昇位置に移動した際に前記第１係合突起と当接する領域に設けられ、前記第１係合部は、前記昇降保持部材が前記上昇位置直前と前記下降位置との間を移動する間、前記第１ガイドと隙間を持って対向する請求項４に記載のディスク駆動装置。
【請求項６】
前記摺動部材が前記昇降保持部材を下降させる方向に移動する側に位置し、前記第１ガイドに並んで前記側壁に設けられた第３ガイドリブを備え、
前記昇降保持部材は、前記アーム部に設けられ前記第３ガイドリブと当接した第３係合部を有している請求項３に記載のディスク駆動装置。
【請求項７】
前記ディスク駆動部は、前記昇降保持部材および前記メインフレームに支持された板状のシャーシを備え、
前記モータは前記シャーシに載置され、前記ヘッド部は前記シャーシ上に前記光ディスクの径方向に沿って移動自在に支持され、
前記シャーシは、前記一対の側壁と平行な方向に沿って延びた一対の側縁部と、前記昇降保持部材の連結部に沿って延びた前縁部と、この前縁部と平行に延びた後縁部と、を有し、前記一対の側縁部は前記記録媒体側に折曲げられ、前記前縁部および後縁部は、それぞれ前記記録媒体から離間する方向に折曲げられている請求項１に記載のディスク駆動装置。
【請求項８】
前記ディスク駆動部は、前記昇降保持部材上に支持された前端部と前記メインフレームに支持された後端部とを有するシャーシと、前記シャーシの後端側で前記メインフレームに取り付けられた回路基板と、を備え、
前記モータは前記シャーシに載置され、
前記ヘッド部は前記モータと前記シャーシの後端部との間で、前記シャーシ上に前記光ディスクの径方向に沿って移動自在に支持され、
前記昇降保持部材は、前記連結部に形成された切欠きと、切欠きに隣接して位置した位置規制部と、を有し、
前記モータは、フレキシブルケーブルにより前記回路基板に電気的に接続され、
前記フレキシブルケーブルは、前記モータに接続された一端と、前記回路基板に接続された他端と、を有し、前記光ディスクの回転軸方向の投影平面で前記ヘッド部と重なって配置され、
前記フレキシブルケーブルの一端部は、前記昇降保持部材上に配置され前記昇降保持部材により上記記録媒体から離間する方向への移動が規制され、前記一端部に続く部分は、前記昇降保持部材の切欠きを通して前記昇降保持部材の反対面側に引き回されて前記位置規制部と対向した後、前記回路基板まで延び、前記位置規制部により前記記録媒体方向への移動が規制されている請求項１に記載のディスク駆動装置。
【発明の詳細な説明】
【技術分野】
【０００１】
この発明は、ディスク状の記録媒体に対して情報処理を行うディスク駆動装置に関する。
【背景技術】
【０００２】
近年、ディスク状の記録媒体として、ＤＶＤ−ＲＯＭに代表される再生専用タイプ、ＤＶＤ−Ｒに代表される１回記録タイプ、ならびにコンピュータの外付けメモリや録再ビデオに利用可能なＤＶＤ−ＲＡＭおよびＤＶＤ−ＲＷに代表される書き換え可能タイプ等の光ディスクが広く普及している。
【０００３】
光ディスクに情報を記録し、または光ディスクから情報を再生する光ディスク装置は、ディスク挿入口を有した筐体と、光ディスクを支持し、筐体に対して光ディスクを装填および排出するディスクトレイと、を備えている。ディスクトレイは、ディスクを装填および取り出し可能な引出し位置と、筐体内に引き込まれディスクを駆動可能な駆動位置との間を移動可能に設けられている。
【０００４】
筐体内には、装填された光ディスクを支持および回転させるモータ、および光ディスクに対して情報を読み出し、書き込みを行う光ピックアップ等が配設されている。モータおよびピックアップは、ピックアップシャーシ上に設けられ、このピックアップシャーシは、筐体内に回動自在に設けられたシャーシマウント上に載置されている。
【０００５】
ディスクトレイが移動する間、ピックアップシャーシはシャーシマウントともに下降位置に退避され、光ディスクが所定の駆動位置に引き込まれると、ピックアップシャーシおよびシャーシマウントが上方に回動される。これにより、モータが上昇してディスクをクランプするとともに、光ピックアップが光ディスクの記録面と対向する。
【０００６】
光ディスク駆動装置において、モータの振動やディスクの偏芯により振動が発生する。そのため、機構系にガタツキがあると、異音が発生する。そこで、シャーシマウントの回動支点部を弾性変形可能な構造とし、この回動支点部を筐体の支持部と弾性的に係合させることにより、振動を吸収しノイズの低減を図った装置が提供されている（例えば、特許文献１）。
【特許文献１】特開２００５−１９０５９５号公報
【発明の開示】
【発明が解決しようとする課題】
【０００７】
前述した光ディスク駆動装置において、シャーシマウントの回動支点部のガタツキは抑制可能であるが、回動支点部から離間したシャーシマウントの揺動部における振動対策は施されていない。構成部材のガタツキを低減するために緩衝材や付勢するための部材を追加することも可能であるが、この場合、製造コストの上昇を招く。また、ガタツキを物理的に詰めた場合、温度変化による部品の収縮・膨張によりガタツキが発生し、あるいは部品間で噛み合いが生じ過負荷になって動作に支障を来すことがある。例えば、筐体とシャーシマウントとは線膨張係数の異なる材料で形成されている場合が多く、低温環境において、線熱膨張量の差に起因して筐体とシャーシマウントとが噛み合い、シャーシマウントの円滑な移動が妨げられる可能性がある。
【０００８】
更に、同一部品を形成する際に複数の金型を使用する場合、金型によって部品寸法が微妙に異なる。そのため、部品の組み合わせによってガタが発生し、あるいは、過負荷になって動作に支障を来すことがある。
【０００９】
この発明は以上の点に鑑みなされたもので、その目的は、振動、製造誤差や温度変化による部品寸法の変化の違いを吸収し、ガタツキ無くすことができるとともに、過負荷を抑制して円滑な移動を確保することが可能なディスク駆動装置を提供することにある。
【課題を解決するための手段】
【００１０】
この発明の態様に係るディスク駆動装置は、対向配置された側壁と、それぞれ側壁に設けられ互いに対向した第１ガイドおよび第２ガイドと、を有するメインフレームと、ディスク状の記録媒体を保持し、前記メインフレームの外部に突出する装填取出し位置と、前記メインフレーム内の所定位置で前記記録媒体を駆動可能な動作位置との間を移動可能に前記メインフレームに設けられた記録媒体保持体と、前記記録媒体を支持および回転するモータと、記録媒体に対して情報処理を行うヘッド部とを有し、前記記録媒体の装填および取り出しを許容する退避位置と、前記記録媒体を駆動する駆動位置との間を昇降可能に設けられた媒体駆動部と、前記媒体駆動部を支持しているとともに、前記駆動位置に対応する上昇位置と前記退避位置に対応する下降位置との間を昇降可能に前記メインフレームに取り付けられた昇降保持部材と、を備え、  
前記昇降保持部材は、それぞれ前記側壁と対向して延びた一対のアーム部と、アーム部の一端部同士を連結し前記側壁と交差する方向に延びた連結部と、前記アームの他端部に設けられ前記側壁に支持された支点部と、前記第１および第２ガイドにそれぞれ係合可能に前記アーム部の一端部に設けられた第１係合部および第２係合部と、を有し、前記第１ガイドは板ばねにより形成され、前記昇降保持部材を前記第２ガイド側に付勢する。
【発明の効果】
【００１１】
この発明の態様によれば、振動、製造誤差や温度変化による部品寸法の変化の違いを吸収し、ガタツキ無くすことができるとともに、過負荷を抑制して円滑な移動を確保することが可能なディスク駆動装置を提供することができる。
【発明を実施するための最良の形態】
【００１２】
以下、図面を参照しながら、この発明の実施形態に係るディスク駆動装置について詳細に説明する。  
図１は、本実施形態に係る光ディスク駆動装置のトップカバーを取り外して光ディスク駆動装置の内部構造を示し、図２は、後述するディスクトレイを省略して光ディスクドライブの内部構造を示している。図３は、トップカバーが取り付けられた光ディスク駆動装置の裏面側を示している。
【００１３】
図１ないし図３に示すように、光ディスク駆動装置は矩形箱状の筐体１０を備え、この筐体は、上面が開口した矩形箱状のメインフレーム１１およびメインフレームの上面、両側面を覆って設けられたトップカバー１２を有している。メインフレーム１１は、間隔をおいて互いに平行に対向した一対の側壁１１ａ、１１ｂ、後壁１１ｃ、および前壁１１ｄを一体に備え、ＡＢＳ等の合成樹脂により形成されている。メインフレーム１１の長手方向一端部には、つまり、前壁１１ｄには、矩形状の開口からなるディスク挿入口１４が形成されている。
【００１４】
メインフレーム１１内には、記録媒体としての光ディスク８を保持し搬送するディスクトレイ２０、光ディスクを支持および回転する昇降自在なディスク駆動部２２、およびディスクトレイおよびディスク駆動を移動させる移動機構５０が設けられている。メインフレーム１１の底面には、制御部を構成する回路基板４０が実装されている。
【００１５】
記録媒体保持体として機能するディスクトレイ２０はほぼ矩形板状に形成され、その一部には、光ディスク８に対するディスク駆動部２２のアクセスを許容する窓部２１が形成されている。ディスクトレイ２０は、側壁１１ａ、１１ｂ間に配置され、側壁と平行な方向に沿って、つまり、メインフレーム１１の長手方向に沿って移動可能に支持されている。詳細に述べると、ディスクトレイ２０は、メインフレーム１１内の所定位置に引き込まれた図１に実線で示す作動位置と、ディスク挿入口１４を通して筐体１０の外部に突出する図１に２点鎖線で示す装填取出し位置との間を直線的に移動可能に支持されている。作動位置において、ディスクトレイ２０に保持された光ディスク８はディスク駆動部２２によって駆動可能であり、装填取出し位置において、ディスクトレイ２０に対して光ディスク８の装填および取出し出しが可能となる。
【００１６】
図２、４、５、６に示すように、メインフレーム１１には、ディスク駆動部２２を昇降自在に支持するシャーシマウント２４が設けられている。シャーシマウント２４は、ほぼＵ字形状に形成され、メインフレーム１１に回動自在に取り付けられている。昇降保持部材として機能するシャーシマウント２４は、間隔をおいて互いに平行に対向した一対のアーム部２４ａ、２４ｂと、アーム部と直交して延びているとともにアーム部の先端同士を連結した連結部２４ｃとを有している。シャーシマウント２４は、例えば、メインフレーム１１よりも硬い樹脂により成形されている。
【００１７】
アーム部２４ａ、２４ｂの後端部には、それぞれ回動支点となる枢軸２３ａ、２３ｂが形成され、アーム部から外側に突出している。アーム部２４ａ、２４ｂの先端部には、第１係合突起２７ａ、第２係合突起２７ｂがそれぞれ形成され、アーム部から外側に突出している。アーム部２４ａにおいて、第１係合突起２７ａよりも後方、つまり、枢軸２３ａ側にずれた位置には、第３係合突起２７ｃが突設されている。第１、第２、第３係合突起２７ａ、２７ｂ、２７ｃは、それぞれ第１係合部、第２係合部、第３係合部として機能する。
【００１８】
シャーシマウント２４の各角部の内側には、ディスク駆動部２２を支持する一対の支持ピン２５が設けられている。シャーシマウント２４は、一方の支持ピン２５の近傍に設けられた切欠き８８、フック８８ａ、および後述する移動機構５０のスライドカムと係合する一対の係合ピン２６を有している。係合ピン２６は、連結部２４ｃから前方に突出している。
【００１９】
図２に示すように、シャーシマウント２４は、枢軸２３ａ、２３ｂがメインフレーム１１の側壁１１ａ、１１ｂにそれぞれ回動自在に支持された状態で、メインフレームに取り付けられている。一対のアーム部２４ａ、２４ｂはそれぞれ側壁１１ａ、１１ｂと平行に延びている。連結部２４ｃは、枢軸２３ａ、２３ｂに対してディスク挿入口１４側に位置し、側壁１１ａ、１１ｂ間をこれら側壁と直交する方向に延びている。そして、シャーシマウント２４は枢軸２３ａ、２３ｂの回りで、上昇位置と下降位置との間を回動可能に支持されている。
【００２０】
図７は、ディスク駆動部のシャーシ２８を示し、図８は、シャーシを省略してディスク駆動部の構成部材およびシャーシマウント２４を示している。  
図２、図７、および図８に示すようにディスク駆動部２２は金属板で形成された矩形枠状のシャーシ２８を有している。シャーシ２８において長手方向の前端部には、駆動源としてのスピンドルモータ３２が取り付けられ、このスピンドルモータの回転軸には、光ディスク８を支持および所定の速度で回転するターンテーブル３３が固定されている。シャーシ２８には、互いに平行に延びた一対のガイドレール３４が取り付けられている。ガイドレール３４はメインフレーム１１の側壁１１ａ、１１ｂとほぼ平行に延びている。
【００２１】
ディスク駆動部２２は、光ディスク８に対して情報の書き込み、読み出しを行う光ピックアップ３６、および光ピックアップを移動させるピックアップ駆動機構３７を備えている。光ピックアップ３６は一対のガイドレール３４によりこれらのガイドレールに沿って移動可能に支持されている。ピックアップ駆動機構３７は、シャーシ２８上に取り付けられたステッピングモータ３８、およびステッピングモータの回転軸に連結されたリードスクリュー３９を有している。リードスクリュー３９は、ガイドレール３４と平行に延びているとともに光ピックアップ３６と係合している。
【００２２】
ヘッド部として機能する光ピックアップ３６は、光ディスク８からの情報の読み出しおよび情報の書き込み時、ターンテーブル３３上に支持された光ディスクの表面と対向して位置し、ピックアップ駆動機構３７により、ガイドレール３４に沿って光ディスクの径方向に移動される。
【００２３】
図２および図７に示すように、シャーシ２８の４つの角部には、ダンパを係合するための４つの透孔２９がそれぞれ形成されている。シャーシ２８は、その長手方向一端側（後端側）の２つの角部が一対の第１ダンパ３０ａによりメインフレーム１１に弾性的に支持され、長手方向他端側（前端側）が一対の第２ダンパ３０ｂによりシャーシマウント２４の支持ピン２５に支持されている。これにより、シャーシ２８は、４つのダンパ３０ａ、３０ｂによって弾性的に支持されている。
【００２４】
ディスク駆動部２２は、一対の第１ダンパ３０ａを支点として、図９に示す上昇位置（駆動位置）と図１０に示す下降位置（退避位置）との間をシャーシマウント２４と共に回動可能に、つまり、昇降可能に支持されている。シャーシ２８は、駆動位置において、ディスクトレイ２０とほぼ平行に位置し、退避位置において、第２ダンパ３０ｂ側の端部がディスクトレイ２０から下方に離間して位置する。
【００２５】
図７、図９、および図１０に示すように、シャーシ２８の剛性を高めるため、シャーシ２８の前端縁２８ａおよび後端縁２８ｂは、それぞれ上方、つまり、光ディスク８側にほぼ直角に折曲げられ、側壁１１ａ、１１ｂと平行に延びた一対の両側縁２８ｂは下方にほぼ直角に折り曲げられている。図１０に示すように、シャーシマウント２４およびディスク駆動部２２が下降位置に移動した状態において、仮に、シャーシ２８の前端縁２８ａが下側に折り曲げられていると、シャーシマウント２４やディスクモータベースをさらに下方に配置せざるおえなくなり、ディスク駆動装置の薄型化が困難となる。そこで、本実施形態のように、シャーシ２８の前端縁２８ａは上側に折り曲げることにより、ディスク駆動装置の薄型化が可能となる。
【００２６】
図９に示すように、シャーシマウント２４およびディスク駆動部２２が上昇位置に移動した状態において、仮に、シャーシ２８の両側縁２８ｂが上側に折り曲げられていると、ディスクトレイ２０の裏面の駆動部との隙間が確保できなくなり、十分な折り曲げ高さを確保することが困難となる。そのため、剛性を高めるという点で十分な構造が達成できない。そこで、本実施形態では、シャーシ２８の両側縁２８ｂは下側に折り曲げられている。これにより、シャーシ２８の剛性を十分高めることが可能となる。
【００２７】
図２、図５および図６に示すように、ディスクトレイ２０およびディスク駆動部２２を移動させる移動機構５０は、メインフレーム１１のディスク挿入口側に設けられディスクトレイ２０の下方に位置している。移動機構５０は、ローディングモータ５１、ローディングモータの回転軸に圧入されたプーリー５２、プーリーギア５４、プーリー５２とプーリーギア５４に掛け渡された駆動ベルト５３、中継ギア５５、トレイギア５６、カムスライダ５８を備えている。ローディングモータ５１の回転軸、プーリー５２、プーリーギア５４、中継ギア５５、トレイギア５６のそれぞれの回転軸は、ディスクトレイ２０の表面と直交する方向に延びている。
【００２８】
プーリーギア５４は中継ギア５５に歯合し、中継ギア５５はトレイギア５６に歯合している。トレイギア５６は、ディスクトレイ２０の裏面に形成された図示しないラックと歯合している。このラックは、ディスクトレイ２０の移動方向に沿って延びている。
【００２９】
摺動部材として機能するカムスライダ５８は、ディスクトレイ２０の移動方向Ａと直行する方向Ｂに延びた細長いスライドロッド５８ａと、スライドロッドから垂直方向下方に延出しシャーシマウント２４と対向したカム板５８ｂとを一体に有している。カムスライダ５８は、ディスクトレイ２０の移動方向Ａと直行する方向Ｂに沿って移動可能にメインフレーム１１に支持されている。
【００３０】
スライドロッド５８ａの一端部には、トレイギア５６と歯合可能なラック６０が形成されている。そして、カムスライダ５８は、トレイギア５６により駆動され、ディスクトレイ２０の移動に連動して移動方向Ｂに移動される。カム板５８ｂには、それぞれ斜めに傾斜して延びた一対のカム溝６４が形成されている。これらのカム溝６４には、シャーシマウント２４に突設された係合ピン２６がそれぞれ係合している。
【００３１】
移動機構５０のローディングモータ５１が駆動されると、プーリー５２から駆動ベルト５３を介してプーリーギア５４、中継ギア５５、トレイギア６５へと動力が伝達され、カムスライダ５８を移動方向Ｂに移動させる。カムスライダ５８の移動に伴ない、カム溝６４に沿ってシャーシマウント２４の係合ピン２６が移動する。そして、シャーシマウント２４は、カムスライダ５８の移動に連動して、枢軸２３ａ、２３ｂを支点に回動し、昇降動作を行なう。これにより、ディスク駆動部２２は第１ダンパ３０ａを支点に回動し、シャーシマウント２４と共に昇降動作を行なう。
【００３２】
ディスクトレイ２０はトレイギア５６によって駆動され移動方向Ａに沿って移動される。ディスクトレイ２０が移動する間、ディスク駆動部２２はディスクトレイの移動を妨げないように、下降位置（退避位置）に移動される。
【００３３】
光ディスク駆動装置に対して光ディスク８を装填あるいは取出しする場合、メインフレーム１１の前面に設けられた図示しないイジェクトボタンを押下すると、あるいは、光ディスク取り出しの外部命令により、ローディングモータ５１が駆動され、カムスライダ５８が図２および図５に示す第１位置から図６に示す第２位置に向かってＢ方向に移動される。カムスライダ５８の移動に連動して、ディスク駆動部２２が駆動位置から退避位置に下降される。
【００３４】
ディスク駆動部２２が退避位置に移動した後、ローディングモータ５１によりディスクトレイ２０が図１に示す実線で示す動作位置から図１に２点鎖線で示す装填取出し位置に移動される。この状態で、ディスクトレイ２０に対して光ディスク８の装填あるいは取出しが可能となる。
【００３５】
ディスクトレイ２０に対して光ディスク８を載置し装填した後、光ディスク装填の外部命令が入力されると、ローディングモータ５１が反転駆動され、ディスクトレイ２０が装填取出し位置から動作位置に移動される。これにより、光ディスク８はディスクトレイ２０と共にメインフレーム１１内に引き込まれ、所定位置に保持される。
【００３６】
ディスクトレイ２０が動作位置に移動した状態で、カムスライダ５８が第２位置から第１位置に向かって移動される。カムスライダ５８の移動に連動して、ディスク駆動部２２が退避位置から駆動位置へ上昇する。これにより、ディスクトレイ２０に載置されていた光ディスク８は、ディスク駆動部２２のターンテーブル３３と、トップカバー１２の内面に設けられた図示しないディスククランプ部材とによって挟まれ、回転自在に保持される。また、光ピックアップ３６は光ディスク８の記録面と対向して位置する。この状態で、スピンドルモータ３２によってターンテーブル３３および光ディスク８を所定の速度で回転し、光ピックアップ３６により光ディスク８に対して情報の書き込みあるいは読み出しを行う。
【００３７】
一方、ディスク駆動装置は、シャーシマウント２４の昇降動作をガイドしシャーシマウントを所定位置に保持するとともに、シャーシマウントの振動を防止するガイド機構を備えている。図２、図１１および図１２に示すように、メインフレーム１１の側壁１１ａには第１ガイド７０ａが形成され、側壁１１ｂには第２ガイド７０ｂが形成されている。第１ガイド７０ａおよび第２ガイド７０ｂは、メインフレーム１１の幅方向に沿って互いに対向して設けられ、それぞれシャーシマウント２４を構成する連結部２４ｃの両端部と対向して位置している。
【００３８】
図１１、図１３、および図１５に示すように、第１ガイド７０ａは、側壁１１ａにＵ字形状のスリット７１を形成することにより、メインフレーム１１の幅方向に弾性変形可能な板ばね、あるいは、樹脂ばねを構成している。第１ガイド７０ａには、垂直方向、つまり、シャーシマウント２４の昇降方向に沿って延びた第１ガイドリブ７２ａが突設されている。第１ガイドリブ７２ａは、シャーシマウント２４の第１係合突起２７ａと係合可能に形成されている。すなわち、第１ガイドリブ７２ａは、第１係合突起２７ａの移動経路に沿って設けられ、特に、シャーシマウント２４が下降位置から上昇位置に移動する際、上昇位置直前から上昇位置までの移動する間に第１係合突起２７ａと係合する領域に設けられている。第１ガイドリブ７２ａは、メインフレーム１１の幅方向に沿って第１係合突起２７ａと重なって位置し、第１係合突起２７ａと係合することにより、メインフレーム１１の幅方向に沿ったシャーシマウント２４の移動を規制する。シャーシマウント２４の上昇動作において、第１係合突起２７ａが第１ガイドリブ７２ａと円滑に係合するように、第１ガイドリブ７２ａの下端部は、傾斜して形成されている。
【００３９】
また、第１ガイド７０ａの上端部には、ほぼＵ字形状の位置決め凸部７４ａが形成され、第１ガイドリブ７２ａを囲んでいる。位置決め凸部７４ａは、シャーシマウント２４が上昇位置（駆動位置）に移動した際、第１係合突起２７ａに対向し、シャーシマウントの過度の上昇を規制するとともに、シャーシマウント２４の前後方向、つまり、ディスクトレイ２０の移動方向に沿った変位を規制する。
【００４０】
図１２、図１４、および図１５に示すように、第２ガイド７０ｂは、側壁１１ｂの内面に突設され、垂直方向、つまり、シャーシマウント２４の昇降方向に沿って延びた第２ガイドリブ７２ｂを有している。第２ガイドリブ７２ｂは、シャーシマウント２４の第２係合突起２７ｂと係合可能に形成されている。すなわち、第２ガイドリブ７２ｂは、第２係合突起２７ｂの移動経路の全長に沿って設けられ、シャーシマウント２４が下降位置から上昇位置に移動する間、第２係合突起２７ｂと係合する領域に設けられている。第２ガイドリブ７２ｂは、メインフレーム１１の幅方向に沿って第２係合突起２７ｂと重なって位置し、第２係合突起２７ｂと係合することにより、メインフレーム１１の幅方向に沿ったシャーシマウント２４の移動を規制する。
【００４１】
第２ガイド７０ｂの上端部には、ほぼＵ字形状の位置決め凸部７４ｂが形成され、第１ガイドリブ７２ｂの上端部を囲んでいる。位置決め凸部７４ｂは、シャーシマウント２４が上昇位置（駆動位置）に移動した際、第２係合突起２７ｂに対向し、シャシーマウントの過度の上昇を規制するとともに、シャーシマウント２４の前後方向、つまり、ディスクトレイ２０の移動方向に沿った変位を規制する。
【００４２】
上記のように、カムスライダ５８がシャーシマウント２４を上昇させる方向に移動する側、すなわち、カムスライダの第１位置側、に設けられた第２ガイド７０ｂの第２ガイドリブ７２ｂは、第２係合突起２７ｂの移動路全長に亘って長く形成されている。逆に、カムスライダ５８がシャーシマウント２４を下降させる方向に移動する側、すなわち、カムスライダの第２位置側、に設けられた第１ガイド７０ａの第１ガイドリブ７２ａは、短く、かつ下端部を傾斜面とし、ガイド部分を樹脂バネ化している。
【００４３】
図１１、図１３、および図１７に示すように、第１ガイド７０ａが設けられている側壁１１ａには、第３ガイドリブ７５が形成されている。第３ガイドリブ７５は、側壁１１ｂの内面に突設され、側壁の高さ方向、つまり、シャーシマウント２４の昇降方向に沿って延びている。第３ガイドリブ７５は、シャーシマウント２４の第３係合突起２７ｃと係合可能に形成されている。すなわち、第３ガイドリブ７５は、第３係合突起２７ｃの移動経路の全長に沿って設けられ、シャーシマウント２４が下降位置から上昇位置に移動する間、第２係合突起２７ｂと係合する領域に設けられている。第３ガイドリブ７５は、メインフレーム１１の幅方向に沿って第３係合突起２７ｃと重なって位置し、第３係合突起２７ｃと係合することにより、メインフレーム１１の幅方向に沿ったシャーシマウント２４の移動を規制する。
【００４４】
装填された光ディスク８をクランプする際、カムスライダ５８が第２位置から第１位置へ移動し、これに伴い、シャーシマウント２４が図１６に示す下降位置から上昇し始める。この時、シャーシマウント２４はカムスライダ５８に押圧され第１位置方向、つまり、第２ガイド７０ｂ右方向への撓みが発生する。しかし、シャーシマウント２４の第２係合突起２７ｂと第２ガイドリブ７２ｂとが接触しているため、シャーシマウントの撓みは最小減に抑えられる。かつ、シャーシマウント２４の第１係合突起２７ａと第１ガイドリブ７２ａとの間には隙間が設けられている。これにより、下降位置から上昇位置直前までの区間において、シャーシマウント２４の摺動負荷を最小減に抑えられ、シャーシマウントの円滑な移動が確保される。
【００４５】
この後、図１５に示すように、ディスククランプ動作直前に、すなわち、シャーシマウント２４が上昇位置に到達する直前に、第１係合突起２７ａが第１ガイドリブ７２ａに係合する。第１ガイド７０ａは樹脂バネ化されているため、第１係合突起２７ａが第１ガイドリブ７２ａと係合すると、第１係合突起２７ａによって外側へ撓ませられ、樹脂バネによる付勢力を発生する。そのため、シャーシマウント２４は、第１ガイド７０ａによって第２ガイド７０ｂ方向に弾性的に付勢され、ガタつき無く保持される。従って、モータの振動、光ディスク８の偏芯回転等によるシャーシマウント２４の振動及び騒音の発生が抑制される。
【００４６】
第１ガイド７０ａの樹脂バネによる付勢力は、想定する温度変化内での部品の収縮・膨張や、通常の部品寸法のバラツキの範囲内での撓み量の変化であれば、過不足無く働くようになっている。また、部品間の線膨張係数の相違により収縮、膨張差や、部品寸法のバラツキを、第１ガイド７０ａの弾性変形により吸収することができ、シャーシマウントの摺動負荷を最小減に抑えることができる。
【００４７】
光ディスク８をアンクランプする際、カムスライダ５８が第１位置から第２位置へ移動し、これに伴い、シャーシマウント２４が図１５に示す上昇位置から下降し始める。この時、第１係合突起２７ａと第１ガイドリブ７２ａとの係合が外れて隙間が確保されるため、下降位置までの移動区間におけるシャーシマウント２４の摺動負荷を最小限に抑えることが可能となる。
【００４８】
また、シャーシマウント２４が上昇位置から下降位置に移動する間、シャーシマウント２４はカムスライダ５８によって側壁１１ａ側に押され、上昇時と逆方向の撓みが発生する。しかしながら、図１７に示すように、下降動作の間、シャーシマウント２４に設けられた第３係合突起２７ｃが側壁１１ａの内面に設けられた第３ガイドリブ７５に接触する。これにより、シャーシマウント２４の撓みは最小減に抑えられる。従って、撓みによるシャーシマウント２４の負荷変動を最小減に抑え、円滑の動作を確保することが可能となる。
【００４９】
図３、図８、図１８、図１９、図２０に示すように、ディスク駆動部２２において、光ピックアップ３６は、第１フレキシブルケーブル（以下、ＦＰＣと称する）８０により、回路基板４０に電気的に接続されている。第１ＦＰＣ８０の一端は光ピックアップ３６の本体に接続され、他端は、回路基板４０上に実装されたコネクタ９０に接続されている。
【００５０】
ディスク駆動部２２のスピンドルモータ３２は、第２ＦＰＣ８２により回路基板４０に電気的に接続されている。第２ＦＰＣ８２の一端部８２ａはスピンドルモータ３２に接続され、他端８２ｂは、回路基板４０上に実装されたコネクタ９１に接続されている。また、移動機構５０のローディングモータ５１は、第３ＦＰＣ８３により回路基板４０に電気的に接続されている。第１ＦＰＣ８３の一端はローディングモータ５１に接続され、他端は、回路基板４０上に実装されたコネクタ９３に接続されている。
【００５１】
第２ＦＰＣ８２および第３ＦＰＣ８３は、可動の光ピックアップ３６と接触しないように設けられている必要がある。そのため、第２および第３ＦＰＣは、ディスク回転軸方向の投影平面で光ピックアップ３６と重ならないように配置するか、あるいは、ディスク回転軸方向の投影平面で光ピックアップ３６と重なるように配置されたときは、光ピックアップとＦＰＣとの間に十分な隙間を確保する必要がある。
【００５２】
本実施形態によれば、第３ＦＰＣ８３は、ディスク回転軸方向の投影平面で光ピックアップ３６と重ならないように配置されている。また、第２ＦＰＣ８２は、ディスク回転軸方向の投影平面で光ピックアップ３６と重なる位置に配設されている。そのため、スピンドルモータ３２から出た第２ＦＰＣ８２の一端８２ａは、シャーシマウント２４により下方向への移動が規制され、一端８２ａよりも回路基板４０に近い側の一部８２ｃはシャーシマウント２４により上方向への移動が規制されている。一端８２ａと光ディスク８との距離に対し、一部８２ｃと光ディスクとの距離を大きくとっている。これにより、第２ＦＰＣ８２のシャーシマウント２４よりも回路基板４０側の部分を、光ディスク８に対して離れる方向に規制し、光ピックアップ３６と第２ＦＰＣ８２が確実に接触しないようにしている。
【００５３】
詳細に述べると、図４および図１２に示すように、シャーシマウント２４の連結部２４ｃには、第２ＦＰＣ８２を挿通する切欠き８８および切欠きに隣接したフック８８ａが形成されている。図３、図８、図１８、図１９、図２０に示すように、第２ＦＰＣ８２はスピンドルモータ３２からシャーシマウント２４の連結部２４ｃの上面に沿って延出した後、回路基板４０方向に折曲げられている。そして、第２ＦＰＣ８２の折曲げ部に続く部分８２ｃはシャーシマウント２４に形成された切欠き８８を通して、シャーシマウントの上面側から下面側へ向かっている。更に、第２ＦＰＣ８２は、シャーシマウント２４のフック８８の下側を通って回路基板４０まで延びている。これにより、第２ＦＰＣ８２の一端部８２ａは、シャーシマウント２４により下方への移動が規制され、第２ＦＰＣ８２の一部８３ｃは、位置規制部として機能するシャーシマウントのフック８８ａにより、上方への移動、すなわち、光ピックアップ３６方向への移動が規制されている。従って、第２ＦＰＣ８２の内、シャーシマウント２４から回路基板４０までの部分は、下方向に、つまり、光ピックアップ３６から離れる方向に付勢され、光ピックアップ３６との隙間が確保されている。
【００５４】
このように、光ピックアップ３６と第２ＦＰＣ８２がディスク回転軸方向の投影平面で重なるように配置されている場合でも、簡単な構成により、光ピックアップと第２ＦＰＣ８２との接触を確実に防止することができる。これにより、安価で薄型化が可能なディスク駆動装置が実現できる。
【００５５】
以上のように構成された光ディスク駆動装置によれば、メインフレーム側にシャーシマウントをガイドよび保持するための異形のガイドリブを一対設けるとともに、一方を樹脂バネ化し、シャーシマウントに幅方向の移動を規制する係合突起を設け、更に、撓みを規制する為の他の係合突起を設けている。これにより、簡易かつ安価な構造で、温度変化による部品の収縮・膨張や、金型の違いによる寸法の微妙な違いに関係なく、シャーシマウントおよびディスク駆動部をガタつき無く保持することが可能となり、ディスクの偏芯回転等によるシャーシマウントの振動及び騒音を抑制することができる。また、シャーシマウントの昇降中における摺動負荷及びシャーシマウントの撓みによる負荷変動を軽減することが可能となる。これにより、ガタツキ無くすことができるとともに、過負荷を抑制して円滑な移動を確保することが可能なディスク駆動装置が得られる。
【００５６】
なお、本発明は実施形態そのままに限定されるものではなく、実施段階ではその要旨を逸脱しない範囲で構成要素を変形して具体化できる。また、実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、各構成部材の形成材料、形状等は、上述した実施形態に限定されることなく、必要に応じて変更可能である。
【図面の簡単な説明】
【００５７】
【図１】図１は、この発明の実施形態に係る光ディスク駆動装置であって、トップカバーを取り外して光ディスク駆動装置の内部構造を示す斜視図。
【図２】図２は、ディスクトレイを取り外した状態における前記光ディスク駆動装置の内部構造を示す斜視図。
【図３】図３は、前記光ディスク装置の下面側を示す斜視図。
【図４】図４は、前記光ディスク駆動装置のシャーシマウントを示す斜視図。
【図５】図５は、前記光ディスク駆動装置のシャーシマウント、カムスライダ、および移動機構を示す斜視図。
【図６】図６は、前記シャーシマウント、カムスライダ、および移動機構を異なる方向から示す斜視図。
【図７】図７は、ディスク駆動部のシャーシを示す斜視図。
【図８】図８は、前記ディスク駆動部、シャーシマウント、回路基板を示す斜視図。
【図９】図９は、前記ディスク駆動部が上昇位置に移動した状態における前記光ディスク駆動装置の横断面図。
【図１０】図１０は、前記ディスク駆動部が下降位置に移動した状態における前記光ディスク駆動装置の縦断面図。
【図１１】図１１は、前記光ディスク駆動装置の第１ガイド部分およびシャーシマウントを拡大して示す斜視図。
【図１２】図１２は、前記光ディスク駆動装置の第２ガイド部分およびシャーシマウントを拡大して示す斜視図。
【図１３】図１３は、前記第１ガイド部分を拡大して示す正面図および断面図。
【図１４】図１４は、前記第２ガイド部分を拡大して示す正面図および断面図。
【図１５】図１５は、上昇位置に移動した前記シャーシマウント、第１ガイド、第２ガイドを示す図２の線Ｃ−Ｃに沿った断面図。
【図１６】図１６は、下降位置に移動した前記シャーシマウント、第１ガイド、第２ガイドを示す図２の線Ｃ−Ｃに沿った断面図。
【図１７】図１７は、下降位置に移動した前記シャーシマウントおよび第３ガイドリブとを示す断面図。
【図１８】図１８は、前記光ディスク駆動装置の底面を示す平面図。
【図１９】図１９は、上昇位置に移動した前記シャーシマウント、ディスク駆動部、および第２フレキシブルケーブルを示す側面図。
【図２０】図２０は、下降位置に移動した前記シャーシマウント、ディスク駆動部、および第２フレキシブルケーブルを示す側面図。
【符号の説明】
【００５８】
８…光ディスク、１０…筐体、１１…メインフレーム、２０…ディスクトレイ、
２２…ディスク駆動部、２４…シャーシマウント、２４ａ、２４ｂ…アーム部、
２４ｃ…連結部、２７ａ…第１係合突起、２７ｂ…第２係合突起、
２７ｃ…第３係合突起、３３…スピンドルモータ、３６…光ピックアップ、
５０…移動機構、５１…ローディングモータ、５８…カムスライダ、
７０ａ…第１ガイド、７０ｂ…第２ガイド、７２ａ…第１ガイドリブ、
７２ｂ…第２ガイドリブ、７５…第３ガイドリブ、８２…第２ＦＰＣ、
８８…切欠き、８８ａ…フック
【図１】
2009043351.tif 000003
【図２】
2009043351.tif 000004
【図３】
2009043351.tif 000005
【図４】
2009043351.tif 000006
【図５】
2009043351.tif 000007
【図６】
2009043351.tif 000008
【図７】
2009043351.tif 000009
【図８】
2009043351.tif 000010
【図９】
2009043351.tif 000011
【図１０】
2009043351.tif 000012
【図１１】
2009043351.tif 000013
【図１２】
2009043351.tif 000014
【図１３】
2009043351.tif 000015
【図１４】
2009043351.tif 000016
【図１５】
2009043351.tif 000017
【図１６】
2009043351.tif 000018
【図１７】
2009043351.tif 000019
【図１８】
2009043351.tif 000020
【図１９】
2009043351.tif 000021
【図２０】
2009043351.tif 000022